(57)【要約】【課題】油で汚染された土壌及び地下水を高い浄化効率で浄化可能な油汚染土壌及び地下水の浄化方法の提供。【解決手段】本発明の油汚染土壌及び地下水の浄化方法は、油汚染された土壌及び／又は地下水に注入井１１からサポニンの注入及び地中曝気を行うこと、油汚染された領域４よりも下流側に配置された揚水井１２から地下水を揚水すること、揚水した地下水を生物学的処理装置２０において好気性微生物によって処理すること、及び好気性微生物処理後の地下水をサポニンの注入位置１１よりも上流側に配置された注入井１３から供給することを含む。【選択図】図１
2009154057.tif 000002
【特許請求の範囲】
【請求項１】
油汚染土壌及び地下水の浄化方法であって、
油汚染された土壌及び／又は地下水に原位置においてサポニンの注入及び曝気を行う工程、
油汚染された領域よりも下流側から地下水を揚水する工程、
揚水した地下水を好気性微生物により処理する工程、及び
好気性微生物処理後の地下水をサポニンの注入位置よりも上流側から供給する工程、を含む油汚染土壌及び地下水の浄化方法。
【請求項２】
前記好気性微生物による処理が、接触濾材に付着させた生物膜を用いた処理を含む、請求項１記載の油汚染土壌及び地下水の浄化方法。
【請求項３】
前記好気性微生物が、ロドコッカス属及びバチルス属の少なくとも一方である、請求項１又は２に記載の油汚染土壌及び地下水の浄化方法。
【請求項４】
前記サポニンが、植物由来のサポニンである、請求項１から３のいずれか一項に記載の油汚染土壌及び地下水の浄化方法。
【請求項５】
前記植物が、桔梗、ジャノヒゲ、ヒロハセネガ、キラヤ、ムクロジ、及びサイカチからなる群から選択される少なくとも１つである、請求項４記載の油汚染土壌及び地下水の浄化方法。
【請求項６】
前記サポニンの注入を、サポニンを注入するパイプの先端に配置されたノズルを回転させながら行う、請求項１から５のいずれか一項に記載の油汚染土壌及び地下水の浄化方法。
【発明の詳細な説明】
【技術分野】
【０００１】
本発明は、油汚染土壌及び地下水の浄化方法に関する。
【背景技術】
【０００２】
工場地帯やパイプライン等における重油などの油類の漏れによる土壌や地下水の汚染が深刻な問題となっている。
【０００３】
汚染箇所の地層は、不飽和層と、その下層の地下水が流れる飽和層と、さらに下層の不透水層により形成されている。重油などの汚染物質は不飽和層及び飽和層に含まれている。これらの汚染物質は、原液であったり、粘土質や土壌中の有機物に吸着された状態で存在し、徐々に地下水等に離脱して地表や地下水に油膜や油臭を発生させるという問題を生じる。
【０００４】
油によって汚染された土壌の浄化方法としては、大きく分けて油を含有する土壌を採掘して浄化する方法（採掘除去）、及び汚染されたその場で土壌を浄化する方法（原位置浄化）が知られている。大規模な設備が不要であり、低コストであることから原位置浄化法が広く試みられている。中でも、油によって汚染された土壌に直接空気や栄養塩等を供給して油分の分解促進を図る原位置バイオレメディエーションが提案されている（例えば、特許文献１、２、３及び４参照）。しかしながら、バイオレメディエーションは浄化に長い期間を要するという問題があり、浄化効率がさらに優れる浄化方法が求められている。
【特許文献１】特開２００５−５２７３３号公報
【特許文献２】特開２００７−１０５５９４号公報
【特許文献３】特開２００７−２６８４０１号公報
【特許文献４】特開２００６−１２２８８５号公報
【発明の開示】
【発明が解決しようとする課題】
【０００５】
そこで、本発明は、油で汚染された土壌及び地下水を高い浄化効率で浄化可能な油汚染土壌及び地下水の浄化方法を提供する。
【課題を解決するための手段】
【０００６】
本発明の油汚染土壌及び地下水の浄化方法は、油汚染された土壌及び／又は地下水に原位置においてサポニンの注入及び曝気を行う工程、油汚染された領域よりも下流側から地下水を揚水する工程、揚水した地下水を好気性微生物により処理する工程、及び好気性微生物処理後の地下水をサポニンの注入位置よりも上流側から供給する工程を含む油汚染土壌及び地下水の浄化方法である。
【発明の効果】
【０００７】
本発明の油汚染土壌及び地下水の浄化方法によれば、油汚染された土壌及び／又は地下水への原位置におけるサポニンの注入及び地中曝気と、揚水した地下水への好気性微生物処理とにより、油汚染された土壌及び地下水を好ましくは高い浄化効率で浄化できる。
【発明を実施するための最良の形態】
【０００８】
［油汚染土壌及び地下水の浄化］
本発明において油汚染土壌及び地下水の浄化とは、土壌及び地下水中の汚染物質である油分を低分子の化合物に分解することであって、好適には、油分を例えば水及び炭酸ガス等に分解することをいう。
【０００９】
［油分］
本発明において油分としては、例えば、ガソリン、灯油、軽油、重油等の燃料油、機械油、切削油等の潤滑油、及びこれらの混合物等が挙げられる。重油は、動粘度（５０℃）によってＡ重油（２０ｍｍ2／ｓ以下）、Ｂ重油（５０ｍｍ2／ｓ以下）及びＣ重油（１０００ｍｍ2／ｓ以下）に分類される。本発明の油汚染土壌及び地下水の浄化方法は、例えば、Ｃ重油のように動粘度が高い汚染物質によって汚染された土壌及び地下水であっても高い浄化効率で浄化することができる。
【００１０】
［油汚染された土壌及び／又は地下水］
本発明において油汚染された土壌及び／又は地下水とは、上記油分を少なくとも含む土壌及び／又は地下水のことをいう。油汚染された土壌及び／又は地下水としては、例えば、油分を含む土壌に起因して、その土壌が存在する土地及びその土地の地下水等に油臭や油膜が生じる状態の土壌及び／又は地下水が挙げられる。
【００１１】
［原位置］
本発明において原位置とは、油汚染された土壌及び／又は地下水が存在する土地（現場）のことをいう。原位置においてサポニンの注入を行うとは、例えば、油汚染された土壌又は地下水にその場で直接サポニンを注入することであり、原位置において曝気を行うとは、例えば、油汚染された土壌及び／地下水に直接地中曝気すること（「エアスパージング」ともいう）である。
【００１２】
［油汚染された領域］
本発明において油汚染された領域は、例えば、平面方向及び深度方向において、全石油系炭化水素（Ｔｏｔａｌ  Ｐｅｔｒｏｌｅｕｍ  Ｈｙｄｒｏｃａｒｂｏｎ（ＴＰＨ））濃度が所定の濃度以上である土壌や、現地調査の結果、浄化が必要であると判断された土壌及び／又は地下水を少なくとも含む領域のことをいう。また、油汚染された領域の下流とは、水理地質図、地下水位測定記録、及び地下水位標高等値線図等に基づき決定される地下水の流れにおいて、油汚染された領域よりも下流側のことをいう。
【００１３】
本発明の油汚染土壌及び地下水の浄化方法は、例えば、以下のようにして行うことができる。
【００１４】
まず、油汚染された土壌及び／又は地下水の原位置においてサポニンの注入及び曝気を行う。サポニンの界面活性効果によって油分の粘度を低減するとともに、地下水溶存酸素濃度を上昇させ、さらに、曝気することによって土壌及び／又は地下水中に存在する好気性微生物を効率よく活性化できる。好気性微生物が活性化されることによって、例えば、微生物自身が産生する天然の界面活性剤や各種酵素の働きによる生分解機能を促進できる。このため、土壌及び／又は地下水の油分の分解が促進され、浄化効率を向上できる。また、サポニンを油汚染された土壌及び／又は地下水に注入することによって、例えば、土粒子に付着した油分や土粒子間の空隙に捕捉された油分が土粒子から剥離し易くなるため、浄化効率を向上できる。
【００１５】
サポニンの注入及び曝気は、例えば、油汚染された土壌の少なくとも飽和層まで採掘された井戸を通じて行うことができる。サポニンの注入及び曝気は、同時に行っても良いし、別々に行ってもよく、土壌及び／又は地下水へのサポニンの分散速度を向上させる観点から、サポニンを注入後、曝気することが好ましい。
【００１６】
サポニンとしては、例えば、植物由来のサポニン及び微生物由来のサポニンが挙げられ、好ましくは植物由来のサポニンである。前記植物としては、例えば、桔梗、キラヤ、ムクロジ、サイカチ、イトヒメハギ、ヨーロッパカンゾウ、ヒロハセネガ、ヒナタイノコズチ、ミシマサイコ、アケビ、ミツバアケビ、エゴノキ、ジャノヒゲ、ハスナゲ、及びヤマノイモ等が挙げられる。微生物への酸素供給能力が優れる観点から、ムクロジ、サイカチ、桔梗等が好ましい。去咳、鎮咳の生薬として使用されており、低毒性及び高安全性の観点から、桔梗、ジャノヒゲ、ヒロハセネガ、イトヒメハギ等が好ましい。また、微生物の栄養源の観点から、桔梗、セネガが好ましく、日本で栽培されており高品質のサポニンを入手が容易である観点から、桔梗が特に好ましい。また、サポニンは、トリペルテンサポニン及びステロイドサポニンに分類され、これらの一方を使用してもよいし、これらを組み合わせて使用してもよい。トリペルテンサポニンとしては、オレアナン型サポニン及びダマラン型サポニン等がある。オレアナン型サポニンとしては、例えば、プラチコジンＤ（桔梗由来）、エンメイヒサポニン（サイカチ由来）、サピンダサポニン（ムクロジ由来）、キラヤサポニン（キラヤ由来）、オンジサポニンＧ（イトヒメハギ由来）、セネギン（ヒロハセネガ由来）、オンジサポニンＧ（イトヒメハギ由来）、グリチルリチン（ヨーロッパカンゾウ由来）アケボサイドＳｔk（アケビ又はミツバアケビ由来）、サイコサポニンａ（ミシマサイコ由来）等が挙げられる。ステロイドサポニンとしては、例えば、オフィオポゴニンＡ（ジャノヒゲ由来）、チモサポニンＡ−ＩＩＩ（ハスナゲ由来）、ディオシチン（ヤマノイモ由来）、ジギトニン（ジギタリス由来）等が挙げられる。本発明の浄化方法において、桔梗の根由来のサポニン及びバクモンドウ由来のサポニンを使用することが好ましく、より好ましくはこれらを組み合わせて使用することである。
【００１７】
本発明の浄化方法において、サポニンとして、上記植物抽出液を使用しても良いし、サポニンを主成分として含む生薬を使用しても良い。サポニンを主成分として含む生薬としては、例えば、キキョウ（桔梗由来）、セネガ（ヒロハセネガ由来）、オンジ（イトヒメハギ由来）、モクツウ（アケビ又はミツバアケビ由来）、カンゾウ（ヨーロッパカンゾウ由来）、サイコ（ミシマサイコ由来）、バクモンドウ（ジャノヒゲ由来）、及びチモ等が挙げられる。サポニン注入量及び濃度は特に制限されず、浄化する土壌及び地下水の汚染状況によって適宜設定できる。サポニンの注入量は、油汚染１ｍ3に対して、例えば、５〜５０ｇ／ｄａｙであり、好ましくは１０〜３０ｇ／ｄａｙ、より好ましくは１２〜２２ｇ／ｄａｙである。サポニンの濃度は特に制限されず、例えば、３０００〜６０００ｍｇ／Ｌである。
【００１８】
曝気は、酸素を含む気体を、例えば、エアコンプレッサ等を用いて地中に注入することによって行うことができる。酸素を含む気体は、空気であっても良いし、地下水の溶存酸素（ＤＯ）を上昇させるために、純酸素であっても良い。
【００１９】
つぎに、油汚染された領域よりも下流側から地下水を揚水する。油汚染された領域よりも下流側から地下水を汲み上げることによって、例えば、地下水を介した油分の拡散を防止することができる。上記油分を含む地下水の揚水は、例えば、油汚染された土壌の飽和層における地下水面まで少なくとも達する井戸を通じてポンプ等により行うことができる。
【００２０】
つぎに、揚水した地下水を好気性微生物により処理する。揚水した地下水に好気性微生物処理を行うことにより、浄化効率をより向上できる。揚水した地下水はサポニンを含むため、例えば、微生物への酸素供給能力が高く、また、サポニン注入及び地中曝気によって油分が水中に分散されているため好気性微生物との接触性も高いことから、高い処理効率で好気性微生物処理を行うことができる。
【００２１】
好気性微生物による処理としては、例えば、活性汚泥処理、生物膜処理等が挙げられ、好ましくは生物膜処理である。生物膜処理としては、例えば、接触曝気、回転接触曝気、及び散水濾床等等が挙げられ、好ましくは接触曝気であり、高浄化効率及び低汚泥発生量の観点から、バイオフリンジ（登録商標）等の接触濾材に付着させた生物膜を用いた処理がより好ましい。接触濾材に付着させた生物膜を用いた処理は、例えば、曝気槽内に生物膜を付着させた接触濾材を固定して行うことができる。前記好気性微生物としては、例えば、ロドコッカス属、バチルス属、シュードモナス属、ストレプトコッカス属、アシネトバクター属等が挙げられ、好ましくはロドコッカス属及びバチルス属である。
【００２２】
接触濾材に付着させた生物膜を用いた処理に先立ち、揚水した地下水に曝気処理することが好ましい。これにより、例えば、揚水した地下水に含まれる油分の分散率を増加でき、好気性微生物処理の浄化効率をさらに向上できるからである。
【００２３】
そして、好気性微生物で処理した地下水をサポニンの注入位置よりも上流側から供給する。これにより、例えば、油汚染された不飽和層及び／又は飽和層における油分や地下水の移動を促進できる。また、例えば、油汚染された地下水が非汚染領域に拡散することを防止できる。供給する水には微量の好気性微生物が含まれていてもよく、それを土壌及び／又は地下水に供給することによって、浄化効率のさらなる向上が期待できる。
【００２４】
つぎに、本発明の油汚染土壌及び地下水の浄化方法の例について図面に基づき説明する。但し、本発明は以下の例に制限されない。
【００２５】
図１は、本発明の油汚染土壌及び地下水の浄化方法の一実施形態を示す概略構成図である。図１は、表層１、不飽和層２、飽和層（地下水層）３からなる基本的な地下領域において不飽和層２と飽和層３との界面付近から飽和層３の部分に存在する油汚染領域４を浄化する例である。
【００２６】
本実施形態では、図１に示すように、地下水の流れに沿って上流側から順に、注入井１３、注入井１１、及び揚水井１２の３種類の井戸が設けられており、注入井１１と注入井１３とは油汚染領域４を挟むように形成されている。注入井１１及び１３、揚水井１２は、地表面から飽和層３に至る深さまで採掘されている。注入井１１及び１３、揚水井１２は、例えば、透水性の材質又は多数の孔が穿設された樹脂等によって囲まれており、井戸の内部に地下水が浸透可能である。注入井１１及び１３、揚水井１２にはそれぞれ、パイプＰ１、Ｐ５及びＰ２が配置されている。パイプＰ２及びＰ５はそれぞれ、生物学的処理装置２０に連結している。
【００２７】
注入井１１は、パイプＰ１を通じてサポニンの注入及び曝気が可能である。注入井１１は、揚水した地下水を供給する注入井１３よりも下流側であって、油汚染領域４の近傍に配置すれば良く、例えば、油汚染領域４の下流側、中央部、上流側のいずれであっても良い。注入井１１に配置されたパイプＰ１は、例えば、その先端が少なくとも飽和層３表面に達するように、好ましくは地下水面以下に達するように配置されている。
【００２８】
揚水井１２は、その内部に流れ込んだ地下水をポンプによってパイプＰ２を通じて揚水可能である。パイプＰ２は、例えば、少なくともその先端が地下水面に達するように揚水井１１に配置されている。注入井１３は、生物学的処理装置２０によって好気性微生物処理された地下水をパイプＰ５を通じて不飽和層２及び／又は飽和層３に供給可能である。パイプＰ５は、例えば、その先端が飽和層３表面に達するように注入井１３に配置されている。
【００２９】
注入井１３と油汚染領域４との間隔（Ｘ）、油汚染領域４と注入井１１との間隔（Ｙ）、及び注入井１１と揚水井１２との間隔（Ｚ）は特に制限されず、例えば、油汚染領域４の大きさ等によって適宜設定できる。油汚染領域４の幅（Ｙ）が１〜３ｍであり、注入井１１を油汚染領域４の下流側の端付近に形成した場合、例えば、油汚染領域４と注入井１３との距離（Ｘ）は１ｍ程度、注入井１１と揚水井１２との距離（Ｚ）は８〜１０ｍとすることができる。
【００３０】
注入井１１及び１３、揚水井１２の数は特に制限されず、油汚染の状況等に応じて適宜設定でき、例えば、注入井１１及び１３、揚水井１２をそれぞれ１本ずつ形成しても良いし、それぞれ複数本形成しても良く、また、注入井１１及び１３を複数本、揚水井１２を１本形成しても良い。
【００３１】
油分の拡散を抑制するために、浄化対象領域を、例えば遮水壁等（図示せず）によって外囲しても良い。
【００３２】
この浄化システム１０を用いた本発明の油汚染土壌及び地下水の浄化方法の一例について説明する。
【００３３】
まず、注入井１１に配置されたパイプＰ１を通してサポニンを注入し、ついで、曝気する。パイプＰ１の先端は複数の孔が形成されており、そこからサポニンの注入及び曝気が可能である。パイプＰ１の上端部は、サポニンを供給するためのポンプと、曝気するためのコンプレッサとを備えている（いずれも図示せず）。サポニンの注入は、サポニンの拡散が促進されることから、パイプＰ１の先端を回転させながら行うことが好ましい。また、回転させながらサポニンを注入することにより、例えば、サポニンと地下水及び／又は土壌との摩擦によりサポニンが泡立ち、サポニンと油分との反応性が向上しサポニンが油分を包み込みやすくなる。パイプＰ１は、その先端に回転可能なノズルと、ノズルを回転させるための動力手段とを備えることが好ましい。
【００３４】
サポニンの注入及び曝気は同じ注入井から行ってもよいし、別々の注入井から行っても良い。サポニンの分散を向上させる観点から、同じ注入井からサポニンの注入及び曝気を行うことが好ましい。
【００３５】
サポニンは、市販のサポニンを使用しても良い。サポニンは、液状のものを使用することが好ましい。液状のサポニンとしては、サポニン水溶液、サポニン水分散液、サポニンアルコール溶液、サポニンアルコール分散液、及びこれらの混合液等が挙げられる。
【００３６】
サポニンの注入量及び曝気量は、浄化対象である土壌及び／又は地下水の汚染状況によって適宜決定できる。例えば、浄化対象の地質調査（汚染位置、範囲、深度、油分量、微生物の量、種類及び活性状況）に基づき初期の注入量を決定した後、揚水井１２から汲み上げられる地下水の色、濁度及び総括酸素移動容量係数（ＫＬａ）等に基づき適宜調節してもよい。総括酸素移動容量係数（ＫＬａ）は、「下水試験法１９９７年版上巻」（日本下水道協会出版、平成９年８月２５日発行）、第１１節  総括酸素移動容量係数の説明（第２７５〜２７７頁）に基づき決定できる。
【００３７】
つぎに、揚水井１２から地下水を揚水する。上述のように、パイプＰ１からサポニンを注入することによって、サポニンの界面活性効果によって、例えば、土壌及び／又は地下水中の油分の粘度が低下し、粘度が低下した油分が地下水の流れ（矢印Ａ方向）に沿って揚水井１２のほうに運ばれる。揚水井１２に流れ込んだ粘度が低下した油分５を含む地下水をポンプによってパイプＰ２を通じて揚水する。
【００３８】
つぎに、揚水した地下水を生物学的処理装置２０において処理する。生物学的処理装置２０は、例えば、活性汚泥処理法や生物膜等の好気性微生物を用いた処理装置であり、好ましくは生物膜を用いた処理装置である。
【００３９】
生物学的処理装置２０としては、高浄化効率及び低汚泥発生量の観点から、接触濾材に付着させた生物膜を備えた曝気槽２２を含む処理装置が好ましく、より好ましくは、図１に示すように、曝気槽２１、接触濾材に付着させた生物膜を備えた曝気槽２２及び沈殿槽２３がそれぞれパイプＰ３，Ｐ４で連結された処理装置である。揚水した地下水を曝気槽２１で曝気して油分の分散性を向上させた後、接触濾材に付着させた生物膜を備えた曝気槽２２で処理するため、好気性微生物の浄化効率をより向上できる。
【００４０】
好気性微生物としては、例えば、ロドコッカス属及びバチルス属等が挙げられる。接触濾材の形状は、例えば、板状、紐状、粒状等が挙げられる。接触濾材の材質は、例えば、プラスチック、木材、鉱物等が挙げられる。
【００４１】
曝気槽２１，２２では、例えば、槽の下方及び／又は側面から、空気や酸素等の酸素を含む気体を供給する。曝気槽２１，２２における曝気量は、例えば、ブロア・モータ（図示せず）の出力によって調節できる。
【００４２】
沈殿槽２３には、余剰汚泥や鉄分等の沈殿物を抜き取り可能なパイプＰ６が連結されている。パイプＰ６を通じて回収された汚泥は、曝気槽２２に返送しても良いし、再基質化装置（図示せず）等に送り、物理的、化学的又は生物学的方法によって汚泥中の微生物の殺傷、細胞壁の破壊、可溶化・低分子化等を行っても良い。
【００４３】
そして、沈殿槽２３を経てパイプＰ５を通じて注入井１３から好気性微生物処理した地下水を注入する。地下水の流れは、通常３０〜５０ｃｍ／ｈ程度であるが、油汚染領域４の上流から水を流すことによって地下水の流れを早くして浄化効率が向上できる。また、油汚染領域４の上流側に油分が拡散することを防止することもできる。
【００４４】
パイプＰ５は、例えば、加熱手段、栄養源供給手段等を備えていても良い。加熱手段によって微生物処理した地下水を、例えば、４０〜５０℃に加熱して供給することによって、土壌及び／又は地下水中の油分の粘度をさらに低下できる。また、油分の粘度の低下により、例えば、好気性微生物と油分との反応性が向上し、また、油分が土粒子からさらに離脱し易くなる。土壌及び／又は地下水に栄養源を供給することによって、微生物をさらに活性化させて浄化効率を向上できる。栄養源としては、例えば、窒素系栄養塩、リン系栄養塩等が挙げられる。
【実施例】
【００４５】
図１に示すような構成の油汚染土壌及び地下水の浄化システム１０を用いて土壌及び地下水の浄化を行った。すなわち、地下水流に対して上流側から順に、注入井１３、注入井１１、揚水井１２として地表面から透過水までの掘削孔を設けた。注入井１３は生物学的処理装置２０によって処理した水を注入するための井戸であり、注入井１１はサポニンの注入及び曝気を行うための井戸である。なお、揚水した地下水中に含まれる油分量を測定するために、パイプＰ２に油水分離装置（図示せず）を配置した。
【００４６】
状況把握調査を行った。まず、油汚染領域４における油汚染プルームの大きさをシミュレーションしたところ、油汚染は２００ｍ3程度であった。ついで、油汚染領域４から地下水を揚水し、その地下水を油水分離した。得られた油分にサポニンを投入して油分が剥離（分解）する速度を測定した。これらに基づきサポニンの投入量を決定した。
【００４７】
サポニンは、１６ｍｇ／ｍＬキキョウ及び２０．８ｍｇ／ｍＬバクモンドウを含む液状の生薬（株式会社カイゲン）を使用した（サポニン濃度３６．８ｍｇ／ｍＬ）。サポニンの注入及び曝気は、サポニン（１０Ｌ／分）１分＋曝気５分を１時間おきに７時間行い、これを毎日繰り返し行った。サポニンの注入の開始とともに、揚水井１２からの地下水の汲み上げを開始した。揚水井１２からの地下水の汲み上げ、生物学的処理装置２０による処理、及び処理後の地下水の注入井１３から地中への供給を、繰り返し行った。汲み上げた地下水の一部を油水分離して油分の量を測定し、油分回収量算出した。その回収量を、揚水開始からの累計（ｍＬ）として下記表１に示す。
【００４８】
（比較例）
比較例としてサポニンを注入しない以外は実施例１と同様にして行った。その結果を下記表１に示す。
【００４９】
【表１】
2009154057.tif 000003
【００５０】
表１に示すように、サポニンを注入し、地中曝気を行った実施例によれば、サポニンを注入していない比較例と比べて油分の回収量を大幅に増加できた。すなわち、サポニンの注入及び地中曝気により、油分の粘性を低下させ地下水への分散性及び好気性微生物との接触性を向上できたといえる。したがって、サポニンの注入及び地中曝気により、油汚染の浄化を向上できるといえる。
【産業上の利用可能性】
【００５１】
本発明は、例えば、油分で汚染された土壌及び地下水の浄化に有用である。
【図面の簡単な説明】
【００５２】
【図１】図１は、本発明の油汚染土壌及び地下水の浄化方法の一例を示す概略構成図である。
【符号の説明】
【００５３】
１・・・表層
２・・・不飽和層
３・・・飽和層
４・・・油汚染領域
５・・・油分
１０・・・浄化システム
１１・・・注入井
１２・・・揚水井
１３・・・注入井
２０・・・生物学的処理装置
２１・・・曝気槽
２２・・・曝気槽
２３・・・沈殿槽
Ｐ１〜Ｐ６・・・パイプ
【図１】
2009154057.tif 000004